(57)【要約】【課題】携帯機を所持しているユーザがいる付近に対応したランプのみを点灯させることができ、かつ携帯機を所持しているユーザ以外の人が車両に近づいた場合においても、車両に近づいた人がいる付近に対応したランプを点灯させることができるようにする。【解決手段】制御部４は、信号送受信機２の複数の受信アンテナ２ｂのうちから、携帯機１からの携帯機探知応答信号を受信した受信アンテナを特定して、この特定したアンテナの位置に基づいてユーザが所持している携帯機１の位置を検知し、携帯機１の位置に応じた車両のランプが点灯するように制御するとともに、車両周辺検知センサ５により、携帯機１を所持している人以外の人を検知したときには、この検知した人がいる位置に応じた車両のランプも点灯するように制御する。【選択図】図１
2008184770.tif 000002
【特許請求の範囲】
【請求項１】
車両側に設置され、ユーザが所持する携帯機に対して携帯機探知信号を出力するとともに、前記携帯機からの携帯機探知応答信号を受信する所定位置に配置した複数の送信および受信用のアンテナを有する信号送受信機と、前記携帯機と前記信号送受信機との間の双方向通信に基づいて、車両のドアロックを開錠するようにドアスイッチを制御する制御手段を備え、前記制御手段は、前記ドアロックの開錠に対応して車両に設けている複数のランプの点灯制御を行う車両用ランプ制御装置において、
車両周辺を検知する車両周辺検知手段を有し、
前記制御手段は、前記信号送受信機の前記複数の受信アンテナのうちから前記携帯機探知応答信号を受信した受信アンテナを特定し、この特定した受信アンテナの位置に基づいてユーザが所持している前記携帯機の位置を検知して、前記携帯機の位置に応じたランプが点灯するように制御するとともに、前記車両周辺検知手段により、前記携帯機を所持している人以外の人を検知したときには、この検知した人がいる位置に応じたランプも点灯するように制御する、
ことを特徴とする車両用ランプ制御装置。
【発明の詳細な説明】
【技術分野】
【０００１】
本発明は、車両に設けられているランプ（クリアランスランプ、ルームランプ、ライセンスプレートランプ、ドアミラーの下部に設けたドアミラーランプなど）の点灯制御を行う車両用ランプ制御装置に関する。
【背景技術】
【０００２】
近年、車両（自動車）側とユーザ（運転者など）が所持している携帯機とが双方向通信を行うことにより車両のドアロックの施錠・解錠などを行う機能を備えた、いわゆる車両のスマートエントリーシステムが普及している。このスマートエントリーシステムは、例えば車両のドアノブに設置されたスイッチをユーザが操作すると、車両側から携帯機の探知信号が送信され、ユーザが所持している携帯機がこの探知信号に応じて識別コード信号を車両側に返信し、この識別コード信号の識別コードと車両側で記憶した識別コードとを照合し、照合が一致した場合に車両のドアロックの施錠・解錠を行うものである。
【０００３】
また、ユーザが車両のドアノブに設置されたスイッチを操作しなくても、携帯機を所持したユーザが車両に近づくと、自動的に車両と携帯機間で双方向通信が行われて、車両のドアロックの解錠を行う構成の車両のスマートエントリーシステムも知られている（例えば、特許文献１）。
【０００４】
前記特許文献１のような車両のスマートエントリーシステムでは、常に間欠的に車両側からリクエスト信号および携帯機探知信号を送信し、このリクエスト信号および携帯機探知信号を受信可能な近接エリアに携帯機を所持したユーザが入ることで、双方向通信が行われるようになる。
【特許文献１】特開２００２−７７９７２号公報
【発明の開示】
【発明が解決しようとする課題】
【０００５】
ところで、このようなスマートエントリーシステムを装備した車両（自動車）においては、車両に乗車するユーザ補助のために、車両と携帯機間で双方向通信が行われて車両のドアロックの解錠に連動して、車両に設けられているランプ（クリアランスランプ、ルームランプ、ライセンスプレートランプ、ドアミラー下部に設けたドアミラーランプなど）を点灯させて車両近傍の路面を照明する機能を有しているものがある。
【０００６】
しかしながら、従来では、例えば携帯機を所持しているユーザが運転者で、運転席側のドア付近にいる場合でも、車両と携帯機間で双方向通信が行われて車両のドアロックの解錠に連動して、助手席側のドアミラーランプやライセンスプレートランプを含め点灯可能な全てのランプが点灯することにより、無駄なバッテリー電力を消費していた。
【０００７】
更に、従来では、携帯機を所持しているユーザ以外の人が車両に近づいた場合には、車両に設けられているランプを点灯させることができなかった。
【０００８】
そこで、本発明は、携帯機を所持しているユーザがいる付近に対応したランプのみを点灯させることができ、かつ携帯機を所持しているユーザ以外の人が車両に近づいた場合においても、車両に近づいた人がいる付近に対応したランプを点灯させることができる車両用ランプ制御装置を提供する。
【課題を解決するための手段】
【０００９】
前記目的を達成するために本発明は、車両側に設置され、ユーザが所持する携帯機に対して携帯機探知信号を出力するとともに、前記携帯機からの携帯機探知応答信号を受信する所定位置に配置した複数の送信および受信用のアンテナを有する信号送受信機と、前記携帯機と前記信号送受信機との間の双方向通信に基づいて、車両のドアロックを開錠するようにドアスイッチを制御する制御手段を備え、前記制御手段は、前記ドアロックの開錠に対応して車両に設けている複数のランプの点灯制御を行う車両用ランプ制御装置において、車両周辺を検知する車両周辺検知手段を有し、前記制御手段は、前記信号送受信機の前記複数の受信アンテナのうちから前記携帯機探知応答信号を受信した受信アンテナを特定し、この特定した受信アンテナの位置に基づいてユーザが所持している前記携帯機の位置を検知して、前記携帯機の位置に応じたランプが点灯するように制御するとともに、前記車両周辺検知手段により、前記携帯機を所持している人以外の人を検知したときには、この検知した人がいる位置に応じたランプも点灯するように制御することを特徴としている。
【発明の効果】
【００１０】
本発明によれば、車両付近で携帯機を所持しているユーザがいる位置に応じたランプだけを点灯させることができるので、他の不要なランプの点灯を防止することができ、無駄なバッテリー電力の消費をなくすことができる。更に、車両周辺に人（携帯機を所持しているユーザ以外の人）がいる場合に、この人の位置を検知して、この人がいる位置に対応したランプも点灯させることができる。
【発明を実施するための最良の形態】
【００１１】
以下、本発明を図示の実施形態に基づいて説明する。図１は、本発明の実施形態に係る車両用ランプ制御装置を示すブロック図である。
【００１２】
図１に示すように、本実施形態に係る車両用ランプ制御装置は、運転者などのユーザが所持している携帯機１との間で無線通信を行う信号送受信機２と、携帯機１との無線通信により信号送受信機２から出力される信号に基づいて、ドアロックアクチュエータ（不図示）を有するドアスイッチ３を操作してドアロックの施錠・解錠を行う制御部４と、車両（自動車）周辺の人（携帯機１を所持しているユーザ以外の人）を検知するための車両周辺検知センサ５と、制御部４からの信号に基づいて、車両に設けられている複数のランプ６をＯＮ（点灯）／ＯＦＦ（消灯）させるスイッチ部７を備えている。
【００１３】
信号送受信機２は、携帯機１に対してリクエスト信号および携帯機探知信号を送信する送信アンテナ２ａと、携帯機１からのアンサー信号および携帯機探知応答信号を受信する受信アンテナ２ｂを有し、携帯機１と信号送受信機２間で無線通信を行う。なお、車両８側の信号送受信機２の送信アンテナ２ａと受信アンテナ２ｂは、車両の所定位置（たとえば、車両の前部、中部、後部のそれぞれの両側付近）にそれぞれ設置されている。また、携帯機１にも前記リクエスト信号および携帯機探知信号を受信する受信アンテナ１ａと、アンサー信号および携帯機探知応答信号を送信する送信アンテナ１ｂを有している。
【００１４】
車両周辺検知センサ５は、図２に示すように、本実施形態では車両８の車内の前部と後部にそれぞれ設置されており、車両８周辺の人（携帯機１を所持しているユーザ以外の人）を検知する。車両周辺検知センサ５としては、例えば赤外線センサやサーモグラフィ装置を用いることができる。また、信号送受信機２、制御部４は、車両８のインストルメントパネル（不図示）内に設置されている。
【００１５】
車両８に設けられている複数のランプ６は、図２に示すように、本実施形態では左右のクリアランスランプ９ａ，９ｂ、ルームランプ１０、ライセンスプレートランプ１１、各ドアミラー１２ａ，１２ｂの下部に設けたドアミラーランプ１３ａ，１３ｂ、左右のリヤターンシグナルランプ１４ａ，１４ｂである。なお、ドアミラーランプ１３ａ，１３ｂは、ドアミラー１２ａ，１２ｂの下方付近の路面を照明するランプである。
【００１６】
次に、前記した本実施形態に係る車両用ランプ制御装置による制御動作を、図３に示すフローチャートを参照して説明する。
【００１７】
本実施形態においては、ドアロックが施錠状態にある車両８側の信号送受信機２からは、常に間欠的にリクエスト信号および携帯機探知信号が各送信アンテナ２ａから送信されており（ステップＳ１）、携帯機１を所持したユーザ（運転者）が車両８に近づくことによって前記リクエスト信号および携帯機探知信号を携帯機１が受信する。なお、各送信アンテナ２ａから送信される携帯機探知信号には、それぞれアンテナ識別コードが含まれている。
【００１８】
そして、携帯機１が前記携帯機探知信号を受信すると、携帯機１は、受信した携帯機探知信号に応答して携帯機探知応答信号を車両８側の信号送受信機２に送信する。そして、信号送受信機２が前記携帯機探知応答信号を受信すると（ステップＳ２：ＹＥＳ）、信号送受信機２はこの携帯機探知応答信号を制御部４に出力する。
【００１９】
また、携帯機１は、前記リクエスト信号を受信すると、このリクエスト信号に応答してドアロック制御用認証コードを含むアンサー信号を車両８側の信号送受信機２に送信する。そして、このアンサー信号を受信した信号送受信機２は、このアンサー信号を制御部４に出力する。制御部４は、前記アンサー信号に含まれるドアロック制御用認証コードと、制御部４に記憶されているドアロック解除用認証コードとを比較照合して、両者が一致している場合に開錠信号をスイッチ部７に出力し、ドアロックを開錠する（ステップＳ３）。
【００２０】
そして、ステップＳ２において、携帯機探知応答信号を受信した場合に（ステップＳ２：ＹＥＳ）、信号送受信機２の各受信アンテナ２ｂの設置位置と携帯機１との間の距離に応じて、各受信アンテナ２ｂで受信する携帯機探知応答信号の受信強度は異なり、携帯機１に最も近い位置（領域）にある受信アンテナ２ｂの受信強度が最も高くなる。そして、制御部４は、車両８の各位置に設置した各受信アンテナ２ｂのうちから受信強度が最も高い受信アンテナ２ｂを特定し、特定した受信アンテナ２ｂの位置に基づいて、車両８に対する携帯機１（携帯機１を所持したユーザ）の位置（方向）を検知する（ステップＳ４）。
【００２１】
そして、ステップＳ３で得られた携帯機１（携帯機１を所持したユーザ）の位置に応じたランプ、例えば携帯機１の位置が運転席側のドア付近であると検知した場合、制御部４は、運転席側のドアミラーランプ１３ａだけを点灯させるようにスイッチ部７に信号を出力して、ドアミラーランプ１３ａだけを点灯させる（ステップＳ５）。
【００２２】
そして、このとき同時に車両８の車内の前部と後部にそれぞれ設置されている車両周辺検知センサ５により、車両８の周辺を検知する（ステップＳ６）。そして、車両８の周辺に人（携帯機１を所持しているユーザ以外の人）を検知したときは（ステップＳ７：ＹＥＳ）、車両周辺検知センサ５から検知信号を制御部４に出力する。
【００２３】
そして、制御部４は、車両周辺検知センサ５から出力される検知信号に基づいて、車両８の周辺に人（携帯機１を所持しているユーザ以外の人）の位置を検出し、検出した人の位置（方向）に応じたランプ、例えば検出した人の位置が車両の後方付近であると検出した場合、制御部４は、ライセンスプレートランプ１１を点灯させるようにスイッチ部７に信号を出力して、ライセンスプレートランプ１１を点灯させる（ステップＳ８）。
【００２４】
そして、制御部４は、ランプ（本実施形態では、ドアミラーランプ１３ａ、ライセンスプレートランプ１１）が点灯してから所定時間が経過した後にスイッチ部７に信号を出力して（ステップＳ９：ＹＥＳ）、ランプ（ドアミラーランプ１３ａ、ライセンスプレートランプ１１）を消灯させる（ステップＳ１０）。
【００２５】
なお、ステップＳ９において、ランプ（ドアミラーランプ１３ａ、ライセンスプレートランプ１１）が点灯してから所定時間が経過する前でも、携帯機１を所持したユーザ（運転者）や他の人がドアを開けたときには、ドアの開に応じて出力されるドア開信号に基づいて点灯しているランプ（ドアミラーランプ１３ａ、ライセンスプレートランプ１１）が消灯される。
【００２６】
このように、本実施形態に係る車両用ランプ制御装置によれば、車両付近で携帯機を所持しているユーザがいる位置に応じたランプだけを点灯させることができるので、他の不要なランプの点灯を防止することができ、無駄なバッテリー電力の消費をなくすことができる。
【００２７】
更に、車両周辺に人（携帯機を所持しているユーザ以外の人）がいる場合に、この人の位置を検知して、この人がいる位置に対応したランプも点灯させることができる。よって、この場合においても、その他の不要なランプの点灯を防止することができ、無駄なバッテリー電力の消費をなくすことができる。
【図面の簡単な説明】
【００２８】
【図１】本発明の実施形態に係る車両用ランプ制御装置を示すブロック図。
【図２】車両に設けられている複数のランプと車両周辺検知センサの位置を示す平面図。
【図３】本実施形態に係る車両用ランプ制御装置による制御動作を示すフローチャート。
【符号の説明】
【００２９】
１        携帯機
２        信号送受信機
２ａ      送信アンテナ
２ｂ      受信アンテナ
３        ドアスイッチ
４        制御部
５        車両周辺検知センサ
８        車両
９ａ，９ｂ        クリアランスランプ
１０      ルームランプ
１１      ライセンスプレートランプ
１２ａ，１２ｂ    ドアミラー
１３ａ，１３ｂ    ドアミラーランプ
１４ａ，１４ｂ    リヤターンシグナルランプ
【図１】
2008184770.tif 000003
【図２】
2008184770.tif 000004
【図３】
2008184770.tif 000005